(57)【要約】本発明は、折り畳み式玩具を提供する。折り畳み式玩具は、４つの立方体状の第１のモジュールと、４つの立方体状の第２のモジュールと、接続部材とを備える。第１のモジュールと第２のモジュールとは交錯するように分布され、第１のモジュール及び第２のモジュールは、複数のエッジのうち２つのエッジの中間位置に収容空間が設けられる。接続部材は、少なくとも部分的に前記第１のモジュール及び前記第２のモジュールの収容空間内に収容される。各第１のモジュールは、いずれも隣接する二つの第２のモジュールに接続され、且つ各第１のモジュールに枢着される二つの接続部材の枢着軸は互いに垂直になる。第１のモジュール及び第２のモジュールは、接続部材の枢着軸の回りに回動可能であり、折り畳み式玩具は、展開することによって長方体を形成し、或いは積み重ねることによって立方体を形成することができる。折り畳み式玩具は、８つの小さな立方体と接続部材とが組み合わせることで一体化され、複数の方向及び角度で枢着軸の回りに回動でき、ユーザは当該折り畳み式玩具を手の中で感覚で自由に回動でき、且つ制限されることなく柔軟に回動できることで、操作の体験が良い。【選択図】図１
2019530480.tif 000002
【特許請求の範囲】
【請求項１】
４つの立方体状の第１のモジュールと、４つの立方体状の第２のモジュールと、両端がそれぞれ前記第１のモジュール及び第２のモジュールに枢着される接続部材と、を備え、
前記第１のモジュールと前記第２のモジュールとは交錯するように分布され、
前記第１のモジュール及び第２のモジュールは、複数のエッジのうち２つのエッジの中間位置にエッジが存在する二つの表面から中心方向へ凹んで形成される収容空間が設けられ、前記２つのエッジは互いに垂直するが交差はせず、
前記接続部材は、隣接する前記第１のモジュールと前記第２のモジュールとを接続させることによって、これらを並列の２列を形成させ、且つ少なくとも部分的に前記第１のモジュール及び前記第２のモジュールの収容空間内に収容され、
各前記第１のモジュールは、いずれも隣接する二つの前記第２のモジュールに接続され、且つ各前記第１のモジュールに枢着される二つの前記接続部材の枢着軸は互いに垂直になり、
前記第１のモジュール及び前記第２のモジュールは、前記接続部材の枢着軸の回りに回動可能であり、
前記折り畳み式玩具は、展開することによって前記第１のモジュール及び第２のモジュールにより構成される２列に並列された長方体を形成し、或いは積み重ねることによって前記第１のモジュール及び第２のモジュールにより構成される立方体を形成するできる
ことを特徴とする折り畳み式玩具。
【請求項２】
前記第１のモジュールと前記第２のモジュールとは、対称構造を呈する
ことを特徴とする請求項１に記載の折り畳み式玩具。
【請求項３】
前記第１のモジュールは、前記第１のモジュールの表面から凹んで形成された第１の接続溝及び第２の接続溝を備え、
前記第１の接続溝と前記第２の接続溝とは互いに垂直になり、
前記接続部材は、前記第１の接続溝及び第２の接続溝内に回動可能に接続される
ことを特徴とする請求項２に記載の折り畳み式玩具。
【請求項４】
前記第１の接続溝は、前記第１のモジュールの第１の表面から前記第１のモジュールの中心方向へ部分的に凹むことによって第１の係止口を形成し、
前記第１の接続溝は、一側に向いて前記第１の表面に垂直になる第２の表面まで延在する
ことを特徴とする請求項３に記載の折り畳み式玩具。
【請求項５】
前記第１の接続溝は、前記第１のモジュールの第１の表面から前記第１のモジュールの中心方向への凹み深さが、前記第１のモジュールのエッジの長さの２分の１以上であり、
前記第２の表面と前記第１の接続溝の内側壁面との最小距離は、前記第１のモジュールのエッジの長さの２分の１以上である
ことを特徴とする請求項４に記載の折り畳み式玩具。
【請求項６】
前記第２の接続溝は、前記第１のモジュールの第３の表面から前記第１のモジュールの中心方向へ部分的に凹むことによって第２の係止口を形成し、
前記第２の接続溝は、一側に向いて前記第３の表面に垂直になる第４の表面まで延在する
ことを特徴とする請求項４に記載の折り畳み式玩具。
【請求項７】
前記第３の表面は、前記第１の表面及び第２の表面に垂直であり、
前記第４の表面は、前記第１の表面に平行であり、前記第２の表面に垂直である
ことを特徴とする請求項６に記載の折り畳み式玩具。
【請求項８】
前記第２の接続溝は、前記第１のモジュールの第３の表面から前記第１のモジュールの中心方向への凹み深さが、前記第１のモジュールのエッジの長さの２分の１以上であり、
前記第４の表面と前記第２の接続溝の内側壁面との最小距離は、前記第１のモジュールのエッジの長さの２分の１以上である
ことを特徴とする請求項６に記載の折り畳み式玩具。
【請求項９】
前記接続部材は、
本体部と、
前記本体部の一端に設けられる第１の枢着部と、
前記本体部の他端に設けられる第２の枢着部と、を備え、
前記第１の枢着部は、前記第１のモジュールに枢着され、
前記第２の枢着部は、前記第２のモジュールに枢着される
ことを特徴とする請求項２に記載の折り畳み式玩具。
【請求項１０】
前記第１の枢着部は、前記第１のモジュール内に枢着され、
前記第２の枢着部は、前記第２のモジュール内に枢着され、
前記本体部の外側の表面と前記第１のモジュール及び前記第２のモジュールュールの表面とは、前記接続部材が折り畳み式玩具の外側の表面まで回動した場合に、面一になる
ことを特徴とする請求項９に記載の折り畳み式玩具。
【請求項１１】
前記接続部材は、突出して形成された枢着軸をさらに備え、
前記枢着軸は、前記接続部材を前記第１のモジュール又は前記第２のモジュールに枢着させるためのものである
ことを特徴とする請求項９に記載の折り畳み式玩具。
【請求項１２】
前記枢着軸は、前記本体部に挿着される
ことを特徴とする請求項１１に記載の折り畳み式玩具。
【請求項１３】
前記枢着軸の断面は、十字型となり、
前記第１のモジュール及び前記第２のモジュールには、いずれも前記枢着軸に整合する十字溝が開設され、
前記枢着軸は、前記接続部材が前記第１のモジュール又は前記第２のモジュールに回動可能に接続されるように、前記十字溝に組み立てられる
ことを特徴とする請求項１１に記載の折り畳み式玩具。
【請求項１４】
前記第１のモジュール及び前記第２のモジュールのエッジ及び角部は、いずれも丸みを帯びている
ことを特徴とする請求項１に記載の折り畳み式玩具。
【請求項１５】
前記第１のモジュール及び前記第２のモジュールの外側の表面は、いずれもフロスト面である
ことを特徴とする請求項１に記載の折り畳み式玩具。
【発明の詳細な説明】
【技術分野】
【０００１】
本願は、出願番号が２０１７１０８３２００４．Ｘであって、出願日が２０１７年９月１５日である中国特許出願に基づき優先権を主張し、当該中国特許出願のすべての内容を本願に援用する。
【０００２】
本発明は、玩具の技術分野に関し、折り畳み式玩具に関する。
【背景技術】
【０００３】
社会の発展につれて、都市の人々の仕事や生活リズムが速くなり、これに応じて、人々に精神的なストレスの増加をもたらし、情緒不安定等になりやすいので、減圧、スプライシング、構築類のブロック玩具が人々に熱烈に求められている。人々は、自分の想像と創造力に基づいて、ブロック同士の組み合わせの接続によって様々な形を構築することで、生活や仕事から生じる精神的なストレスを緩和することができる。
【０００４】
関連技術において、ブロック玩具は、いずれも木材、金属或いは硬質プラスチック等の硬質材で製造されている。ユーザは、ブロック同士が互いにばらばらになっているため、ブロックをプラットフォームで一つずつ積み重ねて様々な造形を構築する必要がある。しかしながら、当該構築された造形は重力の影響を受けるので、対応する造形を構築するためには、ブロック同士の相互の力を受ける状況を調整し、且つ力受け方向を調整する必要がある。また、ブロックの数が非常に多いため、その占める空間が大きくなり、オフィス等の場所で使用するのに適切ではない。
【発明の概要】
【発明が解決しようとする課題】
【０００５】
これに鑑みて、本発明は、折り畳み式玩具を提供する。
【０００６】
具体的に、本発明は、下記のような技術手段によって実現される。
【課題を解決するための手段】
【０００７】
本発明の第１の態様は、折り畳み式玩具が提供する。前記折り畳み式玩具は、４つの立方体状の第１のモジュールと、４つの立方体状の第２のモジュールと、両端がそれぞれ前記第１のモジュール及び第２のモジュールに枢着される接続部材と、を備え、前記第１のモジュールと前記第２のモジュールとは交錯するように分布され、前記第１のモジュール及び第２のモジュールは、複数のエッジのうち２つのエッジの中間位置にエッジが存在する二つの表面から中心方向へ凹んで形成される収容空間が設けられ、前記２つのエッジは互いに垂直するが交差はせず、前記接続部材は、隣接する前記第１のモジュールと前記第２のモジュールとを接続させることによって、これらを並列の２列を形成させ、且つ少なくとも部分的に前記第１のモジュール及び前記第２のモジュールの収容空間内に収容され、
各前記第１のモジュールは、いずれも隣接する二つの前記第２のモジュールに接続され、且つ各前記第１のモジュールに枢着されている二つの前記接続部材の枢着軸は互いに垂直になり、
前記第１のモジュール及び前記第２のモジュールは、前記接続部材の枢着軸の回りに回動可能であり、前記折り畳み式玩具は、展開することによって前記第１のモジュール及び第２のモジュールにより構成される２列に並列された長方体を形成し、或いは積み重ねることによって前記第１のモジュール及び第２のモジュールにより構成される立方体を形成できる。
【０００８】
一実施例では、前記第１のモジュールと前記第２のモジュールとは、対称構造を呈する。
【０００９】
一実施例では、前記第１のモジュールは、前記第１のモジュールの表面から凹んで形成された第１の接続溝及び第２の接続溝を備え、前記第１の接続溝と前記第２の接続溝とは互いに垂直になり、前記接続部材は、前記第１の接続溝及び第２の接続溝内に回動可能に接続される。
【００１０】
一実施例では、前記第１の接続溝は、前記第１のモジュールの第１の表面から前記第１のモジュールの中心方向へ部分的に凹むことによって第１の係止口を形成し、且つ前記第１の接続溝は一側に向いて前記第１の表面に垂直する第２の表面まで延在する。
【００１１】
一実施例では、前記第１の接続溝は、前記第１のモジュールの第１の表面から前記第１のモジュールの中心方向への凹み深さが、前記第１のモジュールのエッジの長さの２分の１以上であり、前記第２の表面と前記第１の接続溝の内側壁面との最小距離は、前記第１のモジュールのエッジの長さの２分の１以上である。
【００１２】
一実施例では、前記第２の接続溝は、前記第１のモジュールの第３の表面から前記第１のモジュールの中心方向へ部分的に凹むことで第２の係止口を形成し、且つ前記第２の接続溝は一側に向いて前記第３の表面に垂直になる第４の表面まで延在する。
【００１３】
一実施例では、前記第３の表面は、前記第１の表面及び第２の表面に垂直であり、前記第４の表面は、前記第１の表面に平行であり、且つ前記第２の表面に垂直である。
【００１４】
一実施例では、前記第２の接続溝は、前記第１のモジュールの第３の表面から前記第１のモジュールの中心方向への凹み深さが、前記第１のモジュールのエッジの長さの２分の１以上であり、前記第４の表面と前記第２の接続溝の内側壁面との最小距離は、前記第１のモジュールのエッジの長さの２分の１以上である。
【００１５】
一実施例では、前記接続部材は、本体部と、前記本体部の一端に設けられる第１の枢着部と、前記本体部の他端に設けられる第２の枢着部と、を備え、前記第１の枢着部は前記第１のモジュールに枢着され、前記第２の枢着部は前記第２のモジュールに枢着される。
【００１６】
一実施例では、前記第１の枢着部は前記第１のモジュール内に枢着され、前記第２の枢着部は前記第２のモジュール内に枢着され、前記本体部の外側の表面と前記第１のモジュール及び前記第２のモジュールュールの表面とは、前記接続部材が折り畳み式玩具の外側の表面まで回動した場合に、面一になる。
【００１７】
一実施例では、前記接続部材は突出して形成された枢着軸をさらに備え、前記枢着軸は、前記接続部材を前記第１のモジュール又は前記第２のモジュールに枢着するためのものである。
【００１８】
一実施例では、前記枢着軸は前記本体部に挿着される。
【００１９】
一実施例では、前記枢着軸の断面は、十字型となり、前記第１のモジュール及び前記第２のモジュールにはいずれも前記枢着軸に整合する十字溝が開設され、前記枢着軸は、前記接続部材が前記第１のモジュール又は前記第２のモジュールに回動可能に接続されるように、前記十字溝に組み立てられる。
【００２０】
一実施例では、前記第１のモジュール及び前記第２のモジュールのエッジ及び角部は、いずれも丸みを帯びている。
【００２１】
一実施例では、前記第１のモジュール及び前記第２のモジュールの外面はいずれもマット面である。
【発明の効果】
【００２２】
本発明の実施例が提供する構成は、以下のような技術効果を奏する。
【００２３】
折り畳み式玩具は、８つの小さな立方体と接続部材とが組み合わせることで一体化され、複数の方向及び角度で枢着軸の回りに回動できることによって、ユーザは、当該折り畳み式玩具を手の中で感覚で自由に回動でき、且つ制限されることなく柔軟に回動できるので、操作の体験が良い。折り畳み式玩具は、ユーザの手の中で操作でき、回動して積み重ねることにより大きな立方体を形成でき、或いは展開することにより２列に並列された長方体を形成でき、ユーザの注意力が改善され、ユーザの気持ちを緩和できる。折り畳み式玩具は、その体積が小さので、ユーザの指先で動かすことができ、ユーザの体験が良い。
【００２４】
なお、上記の一般的な記載及び後述の詳細な記載は、単なる例示的で解釈的な記載であり、本発明を限定するものではない。
【図面の簡単な説明】
【００２５】
【図１】例示的な実施例に係る折り畳み式玩具を長方体状に展開した立体構造を示す図である。
【図２】例示的な実施例に係る折り畳み式玩具を立方体状に展開した立体構造を示す図である。
【図３】例示的な実施例に係る第１のモジュールの立体構造を示す図である。
【図４】例示的な実施例に係る接続部材の立体構造を示す図である。
【００２６】
ここで、第１のモジュール１０、第１の接続溝１１、第２の接続溝１２、十字溝１３、第１の表面１４、第２の表面１５、第３の表面１６、第４の表面１７、変形溝１８、第２のモジュール２０、接続部材３０、本体部３１、第１の枢着部３２、第２の枢着部３３、枢着軸４０である。
【発明を実施するための形態】
【００２７】
以下、例示的な実施例を詳しく説明し、その例示は図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。逆に、それらは、特許請求の範囲に記載の本発明のある側面に一致する装置及び方法の例に過ぎない。
【００２８】
本発明に記載の用語は、特定の実施例を説明する目的で使用されるものに過ぎず、本発明を限定するものではない。本発明及び添付された特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の1つ又は複数の何れ又は全ての組み合わせを意味する。
【００２９】
また、本発明は、第１、第２、第３等の用語を使って各種の情報を説明するが、それらの情報は上記用語に限定されない。それらの用語は、同一種類の情報同士を区分するためのものに過ぎない。例えば、本発明の範囲から逸脱しない状況で、第１の情報を第２の情報と称しても良い。同じように、第２の情報を第１の情報と称してもよい。ここで使っている用語「……場合」は、上下文の意味によって、「……時」或は「……と」又は「確定に応じる」に解釈されてもよい。
【００３０】
図１及び図２に示すように、折り畳み式玩具は、４つの立方体状の第１のモジュール１０と、４つの立方体状の第２のモジュール２０と、両端がそれぞれ第１のモジュール１０及び第２のモジュール２０に枢着される接続部材３０とを、備える。第１のモジュール１０及び第２のモジュール２０は、接続部材３０の枢着軸４０の回りに回動可能であり、第１のモジュール１０のエッジの長さと第２のモジュール２０のエッジの長さとは等しい。第１のモジュール１０と第２のモジュール２０とは交錯するように分布されている。接続部材３０は、隣接する第１のモジュール１０と第２のモジュール２０とを接続させることによって、これらを並列の２列に形成する。第１のモジュール１０及び第２のモジュール２０により構成された並列の２列において、第１の列は、２つの第１のモジュール１０と、２つの第２のモジュール２０とを備え、且つ第１のモジュール１０と第２のモジュール２０とは離隔して設けられており、一方、第２の列は、２つの第１のモジュール１０と、２つの第２のモジュール２０とを備え、且つ第１のモジュール１０と第２のモジュール２０とは離隔して設けられている。折り畳み式玩具は、第１のモジュール１０と第２のモジュール２０とが交錯するように分布されるように、第１の列における第１のモジュール１０と第２の列における第２のモジュール２０とは隣接している。一実施例では、第１のモジュール１０及び第２のモジュール２０の回動効率を向上し、干渉する部位を減少し、且つ見栄えを向上するために、第１のモジュール１０及び第２のモジュール２０のエッジ及び角部はいずれも丸みを帯びている。
【００３１】
折り畳み式玩具は、第１のモジュール１０と第２のモジュール２０とは交錯するように分布されている。第１のモジュール１０及び第２のモジュール２０は、複数のエッジ中の２つのエッジの中間位置にエッジの存在している二つの表面から中心方向へ凹んで形成された収容空間が設けられ、当該２つのエッジは互いに垂直するが交差はしない。接続部材３０の両端は、それぞれ第１のモジュール１０及び第２のモジュール２０に接続されており、また、接続部材３０の両端は、少なくとも部分的に第１のモジュール１０及び第２のモジュール２０の収容空間内に収容される。接続部材３０は、第１のモジュール１０と第２のモジュール２０との中間位置に位置しているので、その耐力性能が良好である。接続部材３０は、部分的に第１のモジュール１０又は第２のモジュール２０の収容空間内に収容されることで、その変形空間が大きくなるので、より良い柔軟性を有する。そして、収容空間の二つの内側壁が互いに垂直である場合、接続部材３０の回動範囲を制限できるとともに、接続部材３０と内側壁との間を密着させることができるので、接続部材３０と第１のモジュール１０又は第２のモジュール２０との間の隙間を減少させることで、折り畳み式玩具が回動するのに必要な空間を減少でき、且つ、折り畳み式玩具が変形された後の第１のモジュール１０と第２のモジュール２０との間の隙間の変化が小さくなる。
【００３２】
各第１のモジュール１０は、いずれも隣接する二つの第２のモジュール２０に接続され、且つ各第１のモジュール１０に枢着されている二つの接続部材３０の枢着軸４０は互いに垂直である。第２のモジュール２０と第１のモジュール１０とは離隔して設けられ、これに応じて、各第２のモジュール２０はいずれも隣接する二つの第１のモジュール１０に接続され、且つ各第２のモジュール２０に枢着される二つの接続部材３０の枢着軸４０は互いに垂直である。折り畳み式玩具は、展開することで第１のモジュール１０及び第２のモジュール２０により２列に並列された長方体を構成することができ、或いは、積み重ねることで第１のモジュール１０及び第２のモジュール２０により立方体を構成することができる。
【００３３】
折り畳み式玩具は、８つの小さな立方体と接続部材３０とを組み合わせることで一体化され、複数の方向及び角度で枢着軸４０の回りに回動できるので、ユーザは当該折り畳み式玩具を手の中で感覚で自由に回動でき、且つ制限されることなく柔軟に回動できるので、操作の体験が良い。折り畳み式玩具は、ユーザの手の中で操作することができることで、回動して積み重ねることにより大きな立方体を形成でき、或いは展開することによって２列に並列された長方体を形成することができるので、ユーザの注意力が改善され、ユーザの気持ちを緩和できる。折り畳み式玩具は、その体積が小さいので、ユーザの指先で動かすことができ、ユーザの体験が良い。
【００３４】
第１のモジュール１０及び第２のモジュール２０は、外観設計及び機能設計に基づいて、その表面に設置されたホール、バンプ、パターン等に対応する部位に対して調整することによって、その見栄えを向上することができる。第１のモジュール１０及び第２のモジュール２０は、いずれも接続部材３０に回動可能に接続されている。一実施例では、第１のモジュール１０と第２のモジュール２０とは対称構造をなしている。接続部材３０は、第１のモジュール１０及び第２のモジュール２０に接続するためのものであり、第１のモジュール１０と第２のモジュール２０とは対称構造をなしている。したがって、折り畳み式玩具全体の統一性を向上でき、その外観が美しくなる。折り畳み式玩具は回動する時、その回動が柔軟になり、一致性が良くなる。
【００３５】
図２及び図３に示すように、第１のモジュール１０と第２のモジュール２０とは対称になるように設けられているので、第１のモジュール１０を一例として説明する。一実施例では、第１のモジュール１０は、第１のモジュール１０の表面から凹んで形成された第１の接続溝１１及び第２の接続溝１２を備える。第１の接続溝１１と第２の接続溝１２とは互いに垂直になり、接続部材３０は、第１の接続溝１１及び第２の接続溝１２に回動可能に接続される。
【００３６】
第１の接続溝１１及び第２の接続溝１２には、いずれも接続部材３０が回動可能に接続される。第１のモジュール１０に、第１の接続溝１１及び第２の接続溝１２を凹むように開設することによって収容空間を形成することで、接続部材３０の一部を収容するための収容空間を形成する。これによって、接続部材３０の体積を増加し、さらに接続部材３０の強度や剛性を補強できる。接続部材３０は、第１の接続溝１１及び第２の接続溝１２内に食い込むことによって、第１のモジュール１０と第２のモジュール２０との間の回動位置及び密着位置を調整できるので、柔軟的に回動することができる。一実施例では、第１の接続溝１１は、第１のモジュール１０の一つのエッジの中間位置に設けられている。第１の接続溝１１をエッジの中間位置に設けることによって、第１のモジュール１０がいずれかの方向に回動するとき、中心の対称位置に位置しているので、各回動位置が同じになり、安定性が良好である。
【００３７】
第１の接続溝１１は、第１のモジュール１０の表面が下方に凹むことによって形成される。一実施例では、第１の接続溝１１は、第１のモジュール１０の第１の表面１４から第１のモジュール１０の中心方向へ部分的に凹むことによって第１の係止口を形成し、且つ、第１の接続溝１１は、一側に向いて第１の表面１４に垂直する第２の表面１５まで延在している。第１の接続溝１１は、第１のモジュール１０においてその断面が矩形状又は台形状となる切り欠きであり、第１の接続溝１１の開口は互いに垂直する第１の表面１４及び第２の表面１５の箇所に位置している。接続部材３０は、第１の接続溝１１に回動可能に接続され、回動する時に第１の表面１４又は第２の表面１５に垂直になることができる。
【００３８】
第１の接続溝１１は、第１のモジュール１０の内部の表面において二つの内側壁面を形成する。一実施例では、第１の接続溝１１は、第１のモジュール１０の第１の表面１４から第１のモジュール１０の中心方向への凹み深さが、第１のモジュール１０のエッジの長さの２分の１以上である。第２の表面１５と第１の接続溝１１の内側壁面との最小距離は、第１のモジュール１０のエッジの長さの２分の１以上である。一実施例では、二つの内側壁面は互いに垂直になる。
【００３９】
第１の接続溝１１の開口と第１の接続溝１１の内側壁面との間の距離は、第１のモジュール１０のエッジの長さの２分の１以上にすることで、接続部材３０の回動可能な範囲が大きくなるので、第１のモジュール１０と第２のモジュール２０とを、回動した後に面一状態を維持するようにさせることができる。接続部材３０の第１の接続溝１１内での枢着部位を調整することで、第１のモジュール１０の接続部材３０に対する回動角度及び回動位置を容易に制御でき、容易に調整できる。
【００４０】
第１のモジュール１０は、立方体状をなし、６つの平面を有する。第１の平面と第２の平面とは互いに垂直になり、第３の表面１６は第１の表面１４及び第２の表面１５に垂直であり、第４の表面１７は第１の表面１４に平行であり、且つ第２の表面１５に垂直である。第１の接続溝１１は、第１の平面及び第２の平面に設けられている。一実施例では、第２の接続溝１２は、第１のモジュール１０の第３の表面１６から第１のモジュール１０の中心方向へ部分的に凹むことによって第２の係止口を形成し、且つ第２の接続溝１２は一側に向いて第３の表面１６に垂直になる第４の表面１７まで延在している。
【００４１】
第１の接続溝１１及び第２の接続溝１２は、それぞれ互いに垂直である二つのエッジに位置し、且つ、第１の接続溝１１と第２の接続溝１２との開口が存在している平面は重ならないので、第１のモジュール１０は互いに垂直になる二つの方向に回転することができ、並列している第１のモジュール１０と第２のモジュール２０とは同時に９０度回動した後に密着することができる。
【００４２】
それに応じて、第１のモジュール１０と第２のモジュール２０との密着角度及び位置を調整するために、第２の接続溝１２における第１のモジュール１０の第３の表面１６から第１のモジュール１０の中心方向への凹み深さを、第１のモジュール１０のエッジの長さの２分の１以上にし、第４の表面１７と第２の接続溝１２の内側壁面との最小距離を、第１のモジュール１０のエッジの長さの２分の１以上にする。
【００４３】
第２の接続溝１２の開口と第２の接続溝１２の内側壁面との間の距離を、第１のモジュール１０のエッジの長さの２分の１以上にすることによって、接続部材３０の回動可能な範囲が大きくなるので、第１のモジュール１０と第２のモジュール２０とが回動した後に面一状態を維持するようにさせることができる。接続部材３０の第２の接続溝１２内での枢着部位を調整することで、第１のモジュール１０の接続部材３０に対する回動角度及び回動位置を容易に制御でき、調節が容易になる。
【００４４】
図２及び図４に示すように、接続部材３０は、隣接する第１のモジュール１０と第２のモジュール２０とを枢着させるためのものであり、接続部材３０は剛性構造を有する。一実施例では、接続部材３０は、本体部３１と、本体部３１の一端に設けられる第１の枢着部３２と、本体部３１の他端に設けられる第２の枢着部３３とを備える。第１の枢着部３２は、第１のモジュール１０に枢着され、第２の枢着部３３は、第２のモジュール２０に枢着される。
【００４５】
第１のモジュール１０及び第２のモジュール２０の構造は互いに対称になる。第１の枢着部３２は、第１のモジュール１０の第１の接続溝１１内に位置し、第２の枢着部３３は、第２のモジュール２０の対応している凹溝に位置する。第１のモジュール１０と第２のモジュール２０との間の間隔は接続部材３０の長さにより調整される。接続部材３０の長さを調整することによって、第１のモジュール１０と第２のモジュール２０との間の間隔を最小にすることができる。例えば、初期状態で、端部に並列に位置する第１のモジュール１０の第４の平面と第２のモジュール２０の第４の平面とが互いに密着し、第１のモジュール１０と第２のモジュール２０とが同時に接続部材３０の回りに９０度回動した後、第１のモジュール１０の第３の平面は第２のモジュール２０の第３の表面１６に密着される。
【００４６】
折り畳み式玩具は、接続部材３０を第１のモジュール１０と第２のモジュール２０とに順次に接続させることによって一体化される。折り畳み式玩具は、第１のモジュール１０と第２のモジュール２０との間隔を調整することによって、その全体がコンパクトにされることができるので、変形後の造形が美しくなる。当該折り畳み式玩具は、多角度で反転して曲げることによりその変形能力が向上することができる。例えば、折り畳み式玩具は、長方体の状態で、長手方向の中心に沿って両側に反転すると、２列のモジュールは曲げられた後に継続に長方体の状態を維持し、２列のモジュールの密着面が変化する。
【００４７】
第１のモジュール１０及び第２のモジュール２０が回動された後、接続部材３０は第１のモジュール１０及び第２のモジュール２０に対して変化する。一実施例では、第１の枢着部３２は、第１のモジュール１０内に枢着されており、第２の枢着部３３は、第２のモジュール２０内に枢着されている。接続部材３０が折り畳み式玩具の外側の表面まで回動した場合に、本体部３１の外側の表面と第１のモジュール１０及び第２のモジュール２０の表面とが面一になる。接続部材３０が第１の平面と垂直になる場合に、接続部材３０の外側に向いている表面と第２の平面とが互いに面一になる。接続部材３０が第１のモジュール１０に対して９０度回動した後、接続部材３０が第２の平面に垂直になる場合、接続部材３０の外側に向いている表面と第１の平面とが面一になる。接続部材３０の枢着軸４０は、第１の平面と第２の平面とが交差して形成されるエッジに平行になり、且つ当該枢着軸４０から第１の平面までの距離は当該枢着軸４０から第２の平面までの距離に等しい。
【００４８】
接続部材３０は枢着軸４０の回りに回動し、且つ接続部材３０は、回動した後その外側の表面と第１のモジュール１０及び第２のモジュール２０の表面とは面一になるので、全体が美しい外観になる。これに応じて、接続部材３０が第１のモジュール１０又は第２のモジュール２０の回りに回動でき、且つ互いに干渉されないように、第１の枢着部３２及び第２の枢着部３３の端部には円弧面が設けられる。
【００４９】
接続部材３０は、第１のモジュール１０又は第２のモジュール２０に枢着されている。接続部材３０は、突出して形成された枢着軸４０をさらに備え、枢着軸４０は、接続部材３０を第１のモジュール１０又は第２のモジュール２０に枢着させるためのものである。
【００５０】
接続部材３０に枢着軸４０を設ける形式として、一体型及び組合わせ型を含んでもよい。
【００５１】
一体型：枢着軸４０は、接続部材３０の本体部３１の両側から突出した軸状の突起であり、接続部材３０が枢着軸４０の回りに回動できるように、枢着軸４０は第１のモジュール１０又は第２のモジュール２０に整合して接続される。
【００５２】
組合わせ型：枢着軸４０は、本体部３１に挿着される。一実施例では、枢着軸４０の断面は十字型となり、第１のモジュール１０及び第２のモジュール２０には、いずれも枢着軸４０に整合する十字溝１３が開設される。枢着軸４０は、接続部材３０が第１のモジュール１０又は第２のモジュール２０に回動可能に接続されるように、十字溝１３に組み立てられる。
【００５３】
第１のモジュール１０には、互いに垂直になる二つの十字溝１３が設けられており、十字溝１３は第１のモジュール１０のエッジに平行している。十字溝１３は第１のモジュール１０を貫通し、一方の十字溝１３は、第１の接続溝１１に垂直になり、且つ第１の接続溝１１内まで貫通され、他方の十字溝１３は、第２の接続溝１２に垂直になり、且つ第２の接続溝１２内まで貫通される。枢着軸４０は、接続部材３０が枢着軸４０の回りに回転するように、当該十字溝１３内に挿着されて接続部材３０の一端まで貫通する。枢着軸４０を十字型に設けることによって、枢着軸４０が自身の回りに回転することを避けるので、接続部材３０の回転信頼性を確保できる。一実施例では、接続部材３０が当該枢着軸４０の回りに柔軟に回動できるように、枢着軸４０の外側の表面は一つの外接円上に位置している。
【００５４】
一実施例では、第１のモジュール１０には、図２及び図３に示すように、変形溝１８がさらに開設されている。当該変形溝１８は、十字溝１３に平行し、且つ十字溝１３の一端に連通されることで、「土」字型の構造を形成する。枢着軸４０と十字溝１３とが押圧することで生じる変形量を吸収するように変形溝１８を設け、枢着軸４０と十字溝１３とが締まり嵌めになるように配置することで、その取り付けが強固になり、その組み立てが容易になる。
【００５５】
当該折り畳み式玩具は、指先玩具であり、プラットフォームなしで操作できる。折り畳み式玩具は、指先玩具としてユーザの手の中で直接に触れるので、折り畳み式玩具の触感は、ユーザにとって１つの重大な体験効果となる。一実施例では、第１のモジュール１０及び第２のモジュール２０の外側の表面は、いずれもフロスト面である。ユーザが当該折り畳み式玩具を回転するとき、指の皮膚がプロスト面に触れるので、感触が良くなり、ユーザの体験が良好であり、回動の柔軟性が向上できる。これとともに、当該折り畳み式玩具は、ユーザの気持ちを緩和させる指先玩具であり、そのサイズが相対的に小さく、オフィスや書斎等の環境で使用するのに適切である。また、第１のモジュール１０、第２のモジュール２０、接続部材３０及び枢着軸４０の材質の色を調整し、例えば、金属、プラスチック、木材及びそれらの組み合わせ等を用いることで、異なる外観及びユーザの体験を実現できる。
【００５６】
装置の実施例は、基本的に方法の実施例に対応するため、関連する部分は、方法の実施例の部分の説明を参照すればいい。上述した装置の実施例は、単に例示的なものである。特に、前記分離部品として説明したユニットは、物理的に分離されたものであってもよく、又は分離されていないものであってもよい。ユニットとして表示される部品は、物理ユニットであってもよく、物理ユニットではなくてもよい。即ち、一箇所に位置してもよく、又は複数のネットワークユニットに分布されてもよい。実際の需要に応じて、その中の一部モジュール又は全部モジュールを選択して、本発明の技術的案の目的を達成することができる。当業者は、創造的な労働をしない前提で、理解して実施することができる。
【００５７】
以上は、本発明の好ましい実施例にすぎず、本発明を限定するものではなく、本発明の主旨及び原則を逸脱しない範囲内でのいずれの変更、置換え、変形等は全て本発明の範囲に含まれるべきである。
【図１】
2019530480.tif 000003
【図２】
2019530480.tif 000004
【図３】
2019530480.tif 000005
【図４】
2019530480.tif 000006
【国際調査報告】
2019530480.tif 000007
2019530480.tif 000008
2019530480.tif 000009
2019530480.tif 000010
2019530480.tif 000011
2019530480.tif 000012